(57)【要約】【課題】地上デジタル放送だけでなく、ＢＳ／ＣＳデジタル放送についても、アナログ放送対応のテレビ受像機で受信できる再送信装置を提供する。【解決手段】外部入力される地上デジタル放送信号、ＢＳ／ＣＳ放送信号を増幅器１２、２２で増幅する。電源部２４は電源を増幅器１２、２２に供給すると共にチョークコイル２５を介してＢＳ／ＣＳ入力端子２１からＢＳ／ＣＳコンバータに供給する。分配器１３は増幅器１２の出力をチューナ３１ａ、３１ｂ、…に分配すると共に切替スイッチを介してチューナ４２ａ、４２ｂに分配し、分配器２３は増幅器２２の出力を切替スイッチを介してチューナ４２ａ、４２ｂに分配する。切替スイッチは、チューナ４２ａ、４２ｂにて地上デジタル放送を受信する場合は分配器１３側に切替え、ＢＳ／ＣＳ放送を受信する場合は分配器２３側に切替える。各チューナの復調信号をアナログ変調器でアナログ変調して再送信する。【選択図】図２
2011004066.tif 000002
【特許請求の範囲】
【請求項１】
地上デジタル放送、ＢＳ／ＣＳデジタル放送を受信し、アナログ放送波に変換して伝送ラインにより再送信する再送信装置であって、
受信した地上デジタル放送信号を増幅する第１の増幅器と、
受信したＢＳ／ＣＳデジタル放送を増幅する第２の増幅器と、
前記第１の増幅器で増幅された信号を分配する第１の分配器と、
前記第２の増幅器で増幅された信号を分配する第２の分配器と、
前記第１の分配器で分配された地上デジタル放送信号を復調する第１のチューナと、
前記第２の分配器で分配されたＢＳ／ＣＳデジタル放送信号を復調する着脱可能に設けられた第２のチューナと、
前記第１及び第２のチューナにより復調された信号をそれぞれアナログ変調し、所定チャンネルの周波数に変換するアナログ変調器と、
前記各アナログ変調器により変調された信号を混合して伝送ラインにより再送信する手段と、
前記第１及び第２の増幅器に動作電源を供給する電源供給手段と、
を具備することを特徴とする再送信装置。
【請求項２】
前記電源供給手段は、
前記第１の増幅器に動作電源を供給する電源部と、
前記第２のチューナの信号入力端子側から電流通過形に構成した第２の分配器を介して出力される動作電源をＢＳ／ＣＳデジタル放送信号から分離し前記第２の増幅器に供給する手段と、
を具備することを特徴とする請求項１に記載の再送信装置。
【発明の詳細な説明】
【技術分野】
【０００１】
本発明は、テレビ放送の共同受信システムにおいて、地上デジタル放送及びＢＳ／ＣＳデジタル放送を受信し、アナログ放送波に変換して再送信する再送信装置に関する。
【背景技術】
【０００２】
近年、世界的にテレビ放送のデジタル化が進行している。わが国では地上デジタル放送転換のため、２０１１年７月２４日にアナログテレビ放送の停波が予定されており、それ以降はアナログテレビ受像機ではテレビ放送を受信できなくなる。地上デジタル放送を受信するためには、デジタル放送に対応したテレビ受像機を購入するか、地上デジタル・チューナを購入する必要がある。
【０００３】
しかしながら、病院、学校、ホテル等の施設に既に導入されているアナログ放送対応の構内テレビ受像機については、その多数設置されているテレビ受像機を一度に交換・更新することは多額の設備投資になる。
【０００４】
そこで、地上デジタル放送波をアナログ放送波に変換して再送信する再送信装置（共同視聴設備）を設置し、アナログ放送が停波された後においても、アナログ放送対応のテレビ受像機によるテレビ放送の受信を可能とすることが行われている。
【０００５】
また、本発明に関連する公知技術として、同一チャンネル入力時のビート障害を防止するゴースト除去テレビ信号再送信装置（例えば、特許文献１参照。）や、受信レベルの低いチャンネルについても確実に受信し、所定の信号レベルに調整して再送信する地上デジタル放送再送信装置（例えば、特許文献２参照。）、出力信号のレベル制御を行うことができると共に、出力周波数の変更時に他チャンネルへの影響を防止するようにしたＣＡＴＶ用変調装置及びヘッドエンド装置（例えば、特許文献３参照。）が知られている。
【先行技術文献】
【特許文献】
【０００６】
【特許文献１】特開平７−１６２３２４号公報
【特許文献２】特開２００６−２２９５９０号公報
【特許文献３】特開２００５−７９７９６号公報
【発明の概要】
【発明が解決しようとする課題】
【０００７】
従来の再送信装置は、上記したように地上デジタル放送を受信しアナログ放送波に変換して再送信しているが、最近では地上デジタル放送だけでなく、衛星放送すなわちＢＳ／ＣＳデジタル放送についても、アナログ放送対応のテレビ受像機により受信したいとの要望がある。
【０００８】
本発明は上記の課題を解決するためになされたもので、地上デジタル放送だけでなく、ＢＳ／ＣＳデジタル放送についても、アナログ放送対応のテレビ受像機で受信することができる再送信装置を提供することを目的とする。
【課題を解決するための手段】
【０００９】
第１の発明は、地上デジタル放送、ＢＳ／ＣＳデジタル放送を受信し、アナログ放送波に変換して伝送ラインにより再送信する再送信装置であって、受信した地上デジタル放送信号を増幅する第１の増幅器と、受信したＢＳ／ＣＳデジタル放送を増幅する第２の増幅器と、前記第１の増幅器で増幅された信号を分配する第１の分配器と、前記第２の増幅器で増幅された信号を分配する第２の分配器と、前記第１の分配器で分配された地上デジタル放送信号を復調する第１のチューナと、前記第２の分配器で分配されたＢＳ／ＣＳデジタル放送信号を復調する着脱可能に設けられた第２のチューナと、前記第１及び第２のチューナにより復調された信号をそれぞれアナログ変調し、所定チャンネルの周波数に変換するアナログ変調器と、前記各アナログ変調器により変調された信号を混合して伝送ラインにより再送信する手段と、前記第１及び第２の増幅器に動作電源を供給する電源供給手段とを具備することを特徴とする。
【００１０】
第２の発明は、前記第１の発明に係る再送信装置において、前記電源供給手段は、前記第１の増幅器に動作電源を供給する電源部と、前記第２のチューナの信号入力端子側から電流通過形に構成した第２の分配器を介して出力される動作電源をＢＳ／ＣＳデジタル放送信号から分離し前記第２の増幅器に供給する手段とを具備することを特徴とする。
【発明の効果】
【００１１】
本発明によれば、地上デジタル放送だけでなく、ＢＳ／ＣＳデジタル放送についても、アナログ放送対応のテレビ受像機で受信することができる。
【００１２】
また、第２のチューナから出力される動作電源を電流通過形に構成した第２の分配器を介して第２の増幅器に供給することにより、第２のチューナを装着することによって第２の増幅器に動作電源が供給されるので、無駄な電力供給を防止できると共に、第２のチューナを装着しない場合には、第２の増幅器に動作電源が供給されないので、該第２の増幅器による発振動作等の異常な動作を防止でき、回路動作を安定した状態に保持することができる。
【図面の簡単な説明】
【００１３】
【図１】本発明の実施例１に係る再送信システムの全体の概略構成図である。
【図２】同実施例１における再送信装置の詳細な構成を示すブロック図である。
【図３】本発明の実施例２に係る再送信装置の詳細な構成を示すブロック図である。
【図４】本発明の実施例３に係る再送信装置の詳細な構成を示すブロック図である。
【発明を実施するための形態】
【００１４】
以下、本発明の実施の形態について図面を参照して詳細に説明する。
【実施例１】
【００１５】
図１は本発明の実施例１に係る再送信システムの全体の概略構成図である。
【００１６】
図１において、１は共同視聴設備の再送信装置で、地上デジタル放送を受信するＵＨＦアンテナ２、衛星放送即ちＢＳ／ＣＳデジタル放送を受信するＢＳ／ＣＳアンテナ３を備えている。このＢＳ／ＣＳアンテナ３は、受信したＢＳ／ＣＳデジタル放送信号を中間周波信号に変換するＢＳ／ＣＳコンバータ４を備えており、このＢＳ／ＣＳコンバータ４で中間周波信号に変換されたＢＳ／ＣＳデジタル放送信号が同軸ケーブル５を介して再送信装置１に入力される。上記ＢＳ／ＣＳコンバータ４には、再送信装置１から例えば１５Ｖの直流電圧が同軸ケーブル５を介して動作電源として供給される。
【００１７】
上記再送信装置１は、ＵＨＦアンテナ２で受信された地上デジタル放送をアナログ放送波に変換すると共に、ＢＳ／ＣＳアンテナ３のＢＳ／ＣＳコンバータ４から同軸ケーブル５を介して送られてくるＢＳ／ＣＳデジタル放送信号をアナログ放送波に変換し、上記両アナログ放送波を混合して伝送ラインである同軸ケーブル６に出力する。再送信装置１から同軸ケーブル６に出力される再送信信号は、共同視聴設備の加入者宅等に設置されているアナログテレビ受像機（図示せず）へ送られる。
【００１８】
次に、再送信装置１の詳細な構成について説明する。
【００１９】
図２は再送信装置１の詳細な構成を示すブロック図である。
【００２０】
再送信装置１は、上記ＵＨＦアンテナ２で受信した地上デジタル放送の信号が入力されるＵＨＦ入力端子１１、及び上記ＢＳ／ＣＳアンテナ３のＢＳ／ＣＳコンバータ４で中間周波信号に変換されたＢＳ／ＣＳデジタル放送信号が入力されるＢＳ／ＣＳ入力端子２１を備えている。
【００２１】
上記ＵＨＦ入力端子１１に入力される地上デジタル放送信号は、増幅器１２で増幅された後、分配器１３に入力される。上記増幅器１２は、分配器１３の分配損失を補償するために設けられている。
【００２２】
また、ＢＳ／ＣＳ入力端子２１に入力されるＢＳ／ＣＳデジタル放送信号は、ＢＳ／ＣＳ増幅器２２で増幅されて分配器２３に入力される。上記ＢＳ／ＣＳ増幅器２２は、分配器２３の分配損失を補償するために設けられている。
【００２３】
上記増幅器１２及びＢＳ／ＣＳ増幅器２２には、電源部２４から所定レベル例えば１５Ｖの直流電圧が動作電源として供給される。また、電源部２４から出力される１５Ｖの直流電圧は、チョークコイル２５を介してＢＳ／ＣＳ入力端子２１に供給され、このＢＳ／ＣＳ入力端子２１から図１に示した同軸ケーブル５を介してＢＳ／ＣＳコンバータ４に動作電源として供給される。このときＢＳ／ＣＳ増幅器２２の入力端側には、直流電圧阻止用のコンデンサ２６が直列に設けられる。このコンデンサ２６は、直流電圧に対しては高インピーダンスとなり、ＢＳ／ＣＳデジタル放送信号に対しては低インピーダンスとなる。また、チョークコイル２５は、電源部２４から供給される直流電圧に対しては低インピーダンスであるが、ＢＳ／ＣＳデジタル放送信号に対しては高インピーダンスとなって伝送を阻止する。従って、ＢＳ／ＣＳ入力端子２１に入力されたＢＳ／ＣＳデジタル放送信号はコンデンサ２６を介してＢＳ／ＣＳ増幅器２２に入力され、また、電源部２４から出力される直流電圧はチョークコイル２５、ＢＳ／ＣＳ入力端子２１、同軸ケーブル５を介してＢＳ／ＣＳコンバータ４に動作電源として供給される。
【００２４】
上記分配器１３は、増幅器１２で増幅された地上デジタル放送信号を複数の地上デジタル放送受信用のチューナ３１ａ、３１ｂ、…に分配すると共に、連動する切替スイッチ４１ａ、４１ｂ、…を介して複数のチューナ４２ａ、４２ｂ、…に入力する。このチューナ４２ａ、４２ｂ、…及び後述するアナログ変調器４３ａ、４３ｂ、…は、着脱可能に設けられ、製造時に装着しなくても、再送信装置１の設置後において装着できるようになっている。なお、ＢＳ／ＣＳ増幅器２２は、チューナ４２ａ、４２ｂ、…の追加設置に備えて製造時に設けられる。
【００２５】
また、上記分配器２３は、ＢＳ／ＣＳ増幅器２２で増幅されたＢＳ／ＣＳデジタル放送信号を上記切替スイッチ４１ａ、４１ｂ、…を介して上記チューナ４２ａ、４２ｂ、…に分配する。このチューナ４２ａ、４２ｂ、…は、顧客の要望等に応じて地上デジタル放送受信用チューナ、あるいはＢＳ／ＣＳデジタル放送受信用チューナを使用する。チューナ４２ａ、４２ｂ、…として地上デジタル放送受信用チューナを使用した場合には、切替スイッチ４１ａ、４１ｂ、…を分配器１３側に切替え、ＢＳ／ＣＳデジタル放送受信用チューナを使用した場合は切替スイッチ４１ａ、４１ｂ、…を分配器２３側に切替える。
【００２６】
チューナ３１ａ、３１ｂ、…は、分配器１３で分配された地上デジタル放送をチャンネル別に受信して復調し、アナログ変調器３２ａ、３２ｂ、…へ出力する。このアナログ変調器３２ａ、３２ｂ、…は、チューナ３１ａ、３１ｂ、…で復調された信号をアナログ変調し、所定チャンネルのアナログ放送波に変換して混合器３３へ出力する。
【００２７】
一方、チューナ４２ａ、４２ｂ、…は、地上デジタル放送受信用チューナを使用した場合であれば、分配器１３から切替スイッチ４１ａ、４１ｂ、…を介して入力される地上デジタル放送をチャンネル別に受信して復調し、また、ＢＳ／ＣＳデジタル放送受信用チューナを使用した場合は分配器２３から切替スイッチ４１ａ、４１ｂ、…を介して入力されるＢＳ／ＣＳデジタル放送をチャンネル別に受信して復調し、アナログ変調器４３ａ、４３ｂ、…へ出力する。このアナログ変調器４３ａ、４３ｂ、…は、チューナ４２ａ、４２ｂ、…で復調された信号をアナログ変調し、所定チャンネルのアナログ放送波に変換して混合器３３へ出力する。
【００２８】
混合器３３は、アナログ変調器３２ａ、３２ｂ、…で変調されたアナログ放送波、及びアナログ変調器４３ａ、４３ｂ、…で変調されたアナログ放送波を混合する。この混合器３３で混合されたアナログ放送波は、増幅器３４で増幅された後、出力端子３５から図１に示した同軸ケーブル６へ再送信信号として出力され、共同視聴設備の加入者宅等に設置されているアナログテレビ受像機（図示せず）等へ送られる。上記増幅器３４の動作電源は、電源部２４から供給される。
【００２９】
上記再送信装置１において、地上デジタル放送波のみをアナログ放送波に変換して再送信する場合には、チューナ４２ａ、４２ｂ、…として地上デジタル放送受信用チューナを使用し、切替スイッチ４１ａ、４１ｂ、…を分配器１３側に切替えてチューナ４２ａ、４２ｂ、…を分配器１３に接続する。
【００３０】
上記の構成とすることにより、ＵＨＦ入力端子１１に入力される地上デジタル放送信号は、増幅器１２で増幅された後、分配器１３によりチューナ３１ａ、３１ｂ、…に分配されると共に、切替スイッチ４１ａ、４１ｂ、…を介してチューナ４２ａ、４２ｂ、…に分配される。また、ＢＳ／ＣＳ入力端子２１に入力されるＢＳ／ＣＳデジタル放送信号は、ＢＳ／ＣＳ増幅器２２で増幅されて分配器２３へ入力されるが、切替スイッチ４１ａ、４１ｂ、…が分配器１３側に切替えられているので、チューナ４２ａ、４２ｂ、…には送られない。
【００３１】
上記チューナ３１ａ、３１ｂ、…及びチューナ４２ａ、４２ｂ、…は、分配器１３で分配された地上デジタル放送信号をチャンネル別に受信して復調し、アナログ変調器３２ａ、３２ｂ、…、４３ａ、４３ｂ、…へ出力する。アナログ変調器３２ａ、３２ｂ、…、は、４３ａ、４３ｂ、…チューナ３１ａ、３１ｂ、…で復調された地上デジタル放送信号をアナログ変調し、所定チャンネルのアナログ放送波に変換して混合器３３へ出力する。
【００３２】
混合器３３は、アナログ変調器３２ａ、３２ｂ、…、４３ａ、４３ｂ、…で変調されたアナログ放送波を混合する。この混合器３３で混合されたアナログ放送波は、増幅器３４で増幅され、出力端子３５から同軸ケーブル６を介して共同視聴設備の加入者宅等へ再送信される。従って、地上デジタル放送のみが再送信装置１によりアナログ放送波に変換されて再送信される。
【００３３】
また、上記再送信装置１において、地上デジタル放送波とＢＳ／ＣＳデジタル放送波の両方をアナログ放送波に変換して再送信する場合には、チューナ４２ａ、４２ｂ、…としてＢＳ／ＣＳデジタル放送受信用チューナを使用し、切替スイッチ４１ａ、４１ｂ、…を分配器２３側に切替えてチューナ４２ａ、４２ｂ、…を分配器２３に接続する。
【００３４】
上記の構成とすることにより、ＵＨＦ入力端子１１に入力される地上デジタル放送信号は、増幅器１２で増幅された後、分配器１３によりチューナ３１ａ、３１ｂ、…に分配される。このチューナ３１ａ、３１ｂ、…に入力された地上デジタル放送信号はチャンネル別に復調され、アナログ変調器３２ａ、３２ｂ、…によりアナログ変調され、所定チャンネルのアナログ放送波に変換されて混合器３３に入力される。
【００３５】
また、ＢＳ／ＣＳ入力端子２１に入力されるＢＳ／ＣＳデジタル放送信号は、ＢＳ／ＣＳ増幅器２２で増幅された後、分配器２３及び切替スイッチ４１ａ、４１ｂ、…によりチューナ４２ａ、４２ｂ、…に分配される。このチューナ４２ａ、４２ｂ、…に入力されたＢＳ／ＣＳデジタル放送信号は、チャンネル別に復調され、アナログ変調器４３ａ、４３ｂ、…でアナログ変調され、所定チャンネルのアナログ放送波に変換されて混合器３３に入力される。
【００３６】
混合器３３は、アナログ変調器３２ａ、３２ｂ、…で変調されたアナログ放送波とアナログ変調器４３ａ、４３ｂ、…で変調されたアナログ放送波とを混合し、増幅器３４を介して出力端子３５から再送信信号として出力する。従って、地上デジタル放送波及びＢＳ／ＣＳデジタル放送波の両方が再送信装置１によりアナログ放送波に変換されて再送信される。
【００３７】
また、上記再送信装置１において、当初地上デジタル放送波のみをアナログ放送波に変換して再送信し、その後、ＢＳ／ＣＳデジタル放送波をアナログ放送波に変換して再送信する機能を追加設置する場合には、初期設定時、チューナ４２ａ、４２ｂ、…及びアナログ変調器４３ａ、４３ｂ、…の組込みは行わず、チューナ３１ａ、３１ｂ、…により地上デジタル放送を受信して復調し、アナログ変調器３２ａ、３２ｂ、…によりアナログ変調する。
【００３８】
上記再送信装置１を設置した後、ＢＳ／ＣＳデジタル放送波をアナログ放送波に変換して再送信する機能を追加する場合には、ＢＳ／ＣＳデジタル放送受信機能を備えたチューナ４２ａ、４２ｂ、…及びアナログ変調器３２ａ、３２ｂ、…を増設し、切替スイッチ４１ａ、４１ｂ、…を分配器２３側に切替える。
【００３９】
これによりＢＳ／ＣＳ入力端子２１に入力されるＢＳ／ＣＳデジタル放送信号は、ＢＳ／ＣＳ増幅器２２で増幅された後、分配器２３及び切替スイッチ４１ａ、４１ｂ、…によりチューナ４２ａ、４２ｂ、…に分配されてチャンネル別に復調され、アナログ変調器４３ａ、４３ｂ、…でアナログ変調され、所定チャンネルのアナログ放送波に変換されて混合器３３へ出力される。
【００４０】
上記のように再送信装置１を設置した後においても、ＢＳ／ＣＳデジタル放送波をアナログ放送波に変換して再送信する機能を容易に追加することができる。
【００４１】
上記実施例１によれば、チューナ４２ａ、４２ｂ、…の機能を顧客の要望等に応じて選択すると共に、切替スイッチ４１ａ、４１ｂ、…を分配器１３あるいは分配器２３に切替接続することにより、例えば地上デジタル放送波のみをアナログ放送波に変換して再送信したり、地上デジタル放送波及びＢＳ／ＣＳデジタル放送波の両方をアナログ放送波に変換して再送信したり、また、設置当初は地上デジタル放送波をアナログ放送波に変換して再送信する機能のみを備え、その後、必要に応じてＢＳ／ＣＳデジタル放送波をアナログ放送波に変換して再送信する機能を追加設置する等、任意の使用形態に対応させることができる。
【００４２】
また、ＢＳ／ＣＳアンテナ３のＢＳ／ＣＳコンバータ４に対しては、再送信装置１の電源部２４からチョークコイル２５、ＢＳ／ＣＳ入力端子２１及び同軸ケーブル５を介して動作電源を供給することができる。
【実施例２】
【００４３】
次に本発明の実施例２に係る再送信装置について説明する。
【００４４】
図３は本発明の実施例２に係る再送信装置１Ａの構成を示すブロック図である。
【００４５】
この実施例２に係る再送信装置１Ａは、電源部２４から出力される直流電源を切替スイッチ４１ａ、４１ｂと連動する切替スイッチ４１ｃを介してＢＳ／ＣＳ増幅器２２に供給すると共に、更にチョークコイル２５を介してＢＳ／ＣＳ入力端子２１から出力し、図１に示した同軸ケーブル５を介してＢＳ／ＣＳアンテナ３のＢＳ／ＣＳコンバータ４に動作電源として供給する。すなわち、切替スイッチ４１ａ、４１ｂを分配器２３側に切替えたときのみ切替スイッチ４１ｃがオン状態となり、電源部２４から出力される直流電源がＢＳ／ＣＳ増幅器２２及びＢＳ／ＣＳアンテナ３のＢＳ／ＣＳコンバータ４に供給されるように構成する。
【００４６】
なお、ＵＨＦ入力端子１１側に設けられる増幅器１２及び混合器３３の出力側に設けられる増幅器３４の動作電源は、電源部２４から直接供給する。
【００４７】
その他の構成は、図２に示した実施例１と同様の構成であるので、同一部分には同一符号を付して詳細な説明は省略する。
【００４８】
上記実施例２に係る再送信装置１Ａは、チューナ４２ａ、４２ｂとしてＢＳ／ＣＳチューナを装着し、切替スイッチ４１ａ、４１ｂを分配器２３側に切替えたときのみ、電源部２４から切替スイッチ４１ｃを介してＢＳ／ＣＳ増幅器２２及びＢＳ／ＣＳアンテナ３のＢＳ／ＣＳコンバータ４に動作電源が供給される。従って、このときＢＳ／ＣＳアンテナ３で受信されたＢＳ／ＣＳデジタル放送信号は、ＢＳ／ＣＳコンバータ４で中間周波信号に変換され、同軸ケーブル５を介してＢＳ／ＣＳ入力端子２１に入力され、ＢＳ／ＣＳ増幅器２２で増幅された後、分配器２３及び切替スイッチ４１ａ、４１ｂを介してチューナ４２ａ、４２ｂに入力される。
【００４９】
また、ＢＳ／ＣＳデジタル放送波をアナログ放送波に変換しない場合、すなわち、チューナ４２ａ、４２ｂ、…を装着しないか、チューナ４２ａ、４２ｂとして地上デジタル放送受信用チューナを使用して切替スイッチ４１ａ、４１ｂを分配器１３側に切替えた場合には、ＢＳ／ＣＳ増幅器２２及びＢＳ／ＣＳアンテナ３のＢＳ／ＣＳコンバータ４には動作電源が供給されない。このためＢＳ／ＣＳ増幅器２２は、非動作状態となると共に入力端子が開放状態となるので、発振等の異常動作を生じることはない。また、ＢＳ／ＣＳ入力端子２１にＢＳ／ＣＳコンバータ４への動作電源が供給されないので、ＢＳ／ＣＳ入力端子２１に誤って終端器を接続した場合でも、動作電源が短絡されることはない。
【００５０】
上記実施例２によれば、チューナ４２ａ、４２ｂとしてＢＳ／ＣＳチューナを装着し、ＢＳ／ＣＳデジタル放送を受信する場合のみ、ＢＳ／ＣＳデジタル放送信号を増幅するＢＳ／ＣＳ増幅器２２及びＢＳ／ＣＳコンバータ４に電源部２４から切替スイッチ４１ｃを介して動作電源が供給されるので、無駄な電力供給を回避できると共に、ＢＳ／ＣＳ増幅器２２が非動作状態となるので、入力端子が開放状態となっても、ＢＳ／ＣＳ増幅器２２の発振などの異常を生じることを防止できる。ＢＳ／ＣＳデジタル放送信号を受信しない場合における回路動作を安定した状態に保持することができる。
【実施例３】
【００５１】
次に本発明の実施例３に係る再送信装置について説明する。
【００５２】
図４は本発明の実施例３に係る再送信装置１Ｂの構成を示すブロック図である。
【００５３】
上記実施例１に係る再送信装置１では、ＢＳ／ＣＳアンテナ３に設けられたＢＳ／ＣＳコンバータ４の動作電源を電源部２４から供給するように構成したが、この実施例３に係る再送信装置１Ｂは、チューナ４２ａから出力される直流電源をＢＳ／ＣＳコンバータ４の動作電源として利用するように構成している。この場合、チューナ４２ａは、信号入力端子から例えば１５Ｖの直流電圧を出力する。また、分配器２３は、複数の分配端子のうち、チューナ４２ａの入力端子が接続される１つの分配端子を電流通過形とし、その分配端子に接続されているチューナ４２ａから出力される直流電圧が切替スイッチ４１ａ及び分配器２３を介して該分配器２３の信号入力端子側に出力されるようにする。この場合、分配器２３とＢＳ／ＣＳ増幅器２２の出力端子との間にコンデンサ２６ａを設け、ＢＳ／ＣＳ増幅器２２の出力端子に直流電圧が付加されるのを阻止する。
【００５４】
そして、チューナ４２ａから分配器２３を介して出力される直流電圧をチョークコイル２５ａを介してＢＳ／ＣＳ増幅器２２に動作電源として供給すると共に、更にチョークコイル２５ｂを介してＢＳ／ＣＳ入力端子２１から出力し、図１に示した同軸ケーブル５を介してＢＳ／ＣＳアンテナ３のＢＳ／ＣＳコンバータ４に動作電源として供給する。この場合、ＢＳ／ＣＳ増幅器２２の入力端子側にはコンデンサ２６ｂを直列に設け、ＢＳ／ＣＳ増幅器２２の入力端子に直流電圧が付加されるのを阻止する。
【００５５】
また、ＵＨＦ入力端子１１側に設けられる増幅器１２及び混合器３３の出力側に設けられる増幅器３４の動作電源は、図２に示した電源部２４から供給する。
【００５６】
その他の構成は、図２に示した実施例１と同様の構成であるので、同一部分には同一符号を付して詳細な説明は省略する。
【００５７】
上記実施例３に係る再送信装置１Ｂは、チューナ４２ａ、４２ｂ、…としてＢＳ／ＣＳチューナを装着し、切替スイッチ４１ａ、４１ｂ、…を分配器２３側に切替えたときのみ、ＢＳ／ＣＳ増幅器２２及びＢＳ／ＣＳアンテナ３のＢＳ／ＣＳコンバータ４にチューナ４２ａから動作電源が供給される。従って、ＢＳ／ＣＳアンテナ３で受信されたＢＳ／ＣＳデジタル放送信号は、ＢＳ／ＣＳコンバータ４で中間周波信号に変換され、同軸ケーブル５を介してＢＳ／ＣＳ入力端子２１に入力され、ＢＳ／ＣＳ増幅器２２で増幅された後、分配器２３及び切替スイッチ４１ａ、４１ｂ、…を介してチューナ４２ａ、４２ｂ、…に入力される。
【００５８】
また、ＢＳ／ＣＳデジタル放送波をアナログ放送波に変換しない場合、すなわち、チューナ４２ａ、４２ｂ、…を装着しないか、チューナ４２ａ、４２ｂ、…として地上デジタル放送受信用チューナを使用して切替スイッチ４１ａ、４１ｂ、…を分配器１３側に切替えた場合には、チューナ４２ａと分配器２３との間が遮断され、ＢＳ／ＣＳ増幅器２２及びＢＳ／ＣＳアンテナ３のＢＳ／ＣＳコンバータ４には動作電源が供給されない。このためＢＳ／ＣＳ増幅器２２は、非動作状態となるので、入力端子が開放状態となっても、ＢＳ／ＣＳ増幅器２２が発振等の異常動作を生じることはない。また、ＢＳ／ＣＳ入力端子２１にＢＳ／ＣＳコンバータ４への動作電源が供給されないので、ＢＳ／ＣＳ入力端子２１に誤って終端器を接続した場合でも、動作電源が短絡されることはない。
【００５９】
上記実施例３によれば、実施例２と同様に無駄な電力供給を回避できると共に、ＢＳ／ＣＳデジタル放送信号を受信しない場合における回路動作を安定した状態に保持することができる。
【００６０】
なお、本発明は、上記実施の形態そのままに限定されるものではなく、実施段階ではその要旨を逸脱しない範囲で構成要素を変形して具体化できるものである。
【符号の説明】
【００６１】
１、１Ａ…再送信装置、２…ＵＨＦアンテナ、３…ＢＳ／ＣＳアンテナ、４…ＢＳ／ＣＳコンバータ、５、６…同軸ケーブル、１１…ＵＨＦ入力端子、１２…増幅器、１３…分配器、２１…ＢＳ／ＣＳ入力端子、２２…ＢＳ／ＣＳ増幅器、２３…分配器、２４…電源部、２５、２５ａ、２５ｂ…チョークコイル、２６、２６ａ、２６ｂ…コンデンサ、３１ａ、３１ｂ…チューナ、３２ａ、３２ｂ…アナログ変調器、３３…混合器、３４…増幅器、３５…出力端子、４１ａ、４１ｂ、４１ｃ…切替スイッチ、４２ａ、４２ｂ…チューナ、４３ａ、４３ｂ…アナログ変調器。
【図１】
2011004066.tif 000003
【図２】
2011004066.tif 000004
【図３】
2011004066.tif 000005
【図４】
2011004066.tif 000006